(57)【要約】      （修正有）【課題】洋食器の衛生的に携帯する携帯具で、携帯数量の変更があってもガタツキ無く携行できる洋食器携帯具を提供する。【解決手段】洋食器（飲食用スプーン１、飲食用フォーク２、飲食用ナイフ３）と洋食器を収納するケース体とで構成され、ケース体が収納部４１と蓋部４２からなり、蓋部４２及び収納部４１は、蓋部４２を収納部４１に被冠固定する装着構造（ヒンジ部４３とロック突部４５及び弾性ロック板４７）に形成し、収納部が収納される洋食器形状に対応すると共に、所定位置に係止柱部４４を底面から起立突設し、蓋部内面に収納された洋食器に対するクッション押圧部４６を設け、洋食器の各柄部に、係止柱部と対応する係止孔を設けてなる。【選択図】図２
0003235109.tif 000002
【実用新案登録請求の範囲】
【請求項１】
洋食器と前記洋食器を収納するケース体とで構成される洋食器携帯具であって、ケース体が収納部と蓋部からなり、前記蓋部及び収納部は、蓋部を収納部に被冠固定する装着構造に形成し、前記収納部が収納される洋食器形状に対応すると共に、所定位置に係止柱部を底面から起立突設し、蓋部内面に収納された洋食器に対するクッション押圧部を設け、前記洋食器の各柄部に、前記係止柱部と対応する係止孔を設けてなることを特徴とする洋食器携帯具。
【請求項２】
蓋部を収納部に被冠固定する装着構造を、一側縁がヒンジ連結で、他側縁が連結解除自在としたロック部としてなる請求項１記載の洋食器携帯具。
【請求項３】
クッション押圧部を、シリコン樹脂板をアーチ状に突出させて形成してなる請求項２記載の洋食器携帯具。
【請求項４】
収納される洋食器が、一組のスプーン、フォーク、ナイフとしてなる請求項１乃至３記載の何れかの洋食器携帯具。
【考案の詳細な説明】
【技術分野】
【０００１】
本考案は、洋食器を衛生的に携帯するための洋食器携帯具に関するものである。
【背景技術】
【０００２】
洋食器（飲食用スプーン、フォーク、ナイフ）の携帯は、特許文献１に開示されているように、他の飲食具（皿やコップなどの食器）とセットとした携帯具が知られている。しかし洋食器のみを携帯する場合は、他の飲食具は不要である。
【０００３】
また洋食器をバラバラで携帯する場合は、そのままでは嵩張るために、不使用時には一体化可能な構造が提案されている（特許文献２）。また箸箱のように飲食用スプーンを１個収納するスプーンケースも知られている（特許文献３）。
【先行技術文献】
【特許文献】
【０００４】
【特許文献１】実公平２−４２１７０号公報。
【特許文献２】実公昭５６−１０２２４号公報。
【特許文献３】意匠登録１５３７８８７号公報。
【考案の概要】
【考案が解決しようとする課題】
【０００５】
３個の洋食器をまとめる構造とした場合、露出状態で携帯するために衛生的ではなく、更に柄部を特別な構造・形状とする必要があり、製造上の煩瑣、並びに使い難いという課題がある。
【０００６】
またケース体を採用する場合、当該携帯する洋食器の数に対応するケース体を採用することになるので、例えば３本収納用のケースを採用した場合、３本以下の携帯時は収納された飲食器ががたつき、携帯時の雑音の発生源となってしまう。
【０００７】
そこで本考案は、不特定数の洋食器も何ら支障なく携帯できる新規な洋食器携帯具を提案したものである。
【課題を解決するための手段】
【０００８】
本考案に係る洋食器携帯具は、洋食器と前記洋食器を収納するケース体とで構成される洋食器携帯具であって、ケース体が収納部と蓋部からなり、前記蓋部及び収納部は、蓋部を収納部に被冠固定する装着構造に形成し、前記収納部が収納される洋食器形状に対応すると共に、所定位置に係止柱部を底面から起立突設し、蓋部内面に収納された洋食器に対するクッション押圧部を設け、前記洋食器の各柄部に、前記係止柱部と対応する係止孔を設けてなることを特徴とするものである。
【０００９】
而して携帯する洋食器を重ね、係止孔内に係止柱部が位置するようにケース体の収納部に収納し、蓋部を被冠して固定することで、衛生的に洋食器の形態ができ、また携帯する洋食器が少なくなっても、収納された洋食器をクッション押圧部で押圧することで、収納洋食器のガタツキを防止することになる。
【考案の効果】
【００１０】
本考案の構成は上記のとおりで、洋食器を収納して衛生的に携帯でき、且つ収納数量の変更があったとしても、収納洋食器のガタツキを防止して携帯できるものである。
【図面の簡単な説明】
【００１１】
【図１】本考案の実施形態の全体斜視図（洋食器収納前）。
【図２】同図（洋食器収納状態で蓋部開放）。
【図３】同図（洋食器収納状態で蓋部閉鎖・携帯時）。
【図４】同洋食器収納状態の断面図で（イ）は３本収納時（ロ）は２本収納時を示す。
【考案を実施するための形態】
【００１２】
次に本考案の実施形態について説明する。実施形態に示した洋食器携帯具は、洋食器（飲食用スプーン１、飲食用フォーク２、飲食用ナイフ３）と前記洋食器を収納するケース体４とで構成される。
【００１３】
各洋食器１，２，３は、携帯に適する適宜な大きさで、全長を揃えて、各柄部１１，２１，３１は同一形状に形成すると共に、各柄部１１，２１，３１の尾方所定位置に所定形状の係止孔１２，２２，３２を形成してなる。また飲食用スプーン１、飲食用フォーク２は、それぞれ掬い部、刺突部は浅い湾曲凹面に形成して、下方から飲食用スプーン１、飲食用フォーク２、飲食用ナイフ３を順次、各柄部１１，２１，３１が密着するように積層可能な形状としたものである。
【００１４】
ケース体４は、収納部４１と前記収納部４１に被冠装着する蓋部４２で構成され、両部の一側縁をヒンジ部４３で連結して蓋部４２の開閉を自在とし、他側縁に連結解除自在としたロック部を設けたものである。
【００１５】
収納部４１は、前記した積層状態の洋食器（飲食用スプーン１、飲食用フォーク２、飲食用ナイフ３）と対応する扁平な容器形状で、収納状態の洋食器の係止孔１２，２２，３２と対応する係止柱部４４を底面から起立突設し、ロック部として当該側縁にロック突部４５を設けたものである。
【００１６】
蓋部４２は、収納した洋食器１，２，３の首部に対応する位置にクッション押圧部４６を設け、ロック突部４５に対応する位置に、ロック突部４５が嵌合する嵌合孔を備えた弾性ロック板４７を設けたものである。また特に前記のクッション押圧部４６は、適宜な弾性を備えるシリコン樹脂板をアーチ状に突出させて形成したものである。
【００１７】
而して上記の洋食器携帯具は、図２に示すように携帯する洋食器１，２，３を重ね、各係止孔１２，２２，３２内に係止柱部４４が位置するようにしてケース体４の収納部４１に収納し、そして図３に示すように蓋部４２を被冠して、ロック突部４５に弾性ロック板４７の嵌合孔に嵌合して収納部４１と蓋部４２を一体とする。
【００１８】
そして収納された洋食器１，２，３はクッション押圧部４６で押さえ付けられるので、洋食器１，２，３はガタツクことなく携帯できるものである、また特に例えば飲食用フォーク２と飲食用ナイフ３のみを携帯する場合であっても、図４（ロ）に示すように、積層状態の飲食用フォーク２と飲食用ナイフ３はクッション押圧部４６で押さえ付けらると共に、係止孔２２，３２に係止柱部４４が挿通状態で係止されているので、携帯する洋食器が少なくなっても携帯時のガタツキを防止できる。
【００１９】
尚上記の実施形態は、一組の洋食器を例示したが、一組の洋食器以外でも、本考案は適用できるものである。
【符号の説明】
【００２０】
１    飲食用スプーン
２    飲食用フォーク
３    飲食用ナイフ
１１，２１，３１    柄部
１２，２２，３２    係止孔
４    ケース体
４１    収納部
４２    蓋部
４３    ヒンジ部
４４    係止柱部
４５    ロック突部
４６    クッション押圧部
４７    弾性ロック板
【図１】
0003235109.tif 000003
【図２】
0003235109.tif 000004
【図３】
0003235109.tif 000005
【図４】
0003235109.tif 000006